(57)【要約】【課題】データの表示するタイミングが適切でない場合に当該データの表示を防ぐと共に、表示の際に当該データを逐一選択するというユーザの管理作業を低減する。【解決手段】画像データの表示を行う表示部１１０と、画像データ及び画像データの関連情報を含む送信データを受信する通信部１０２と、受信された画像データの関連情報に基づいて、受信された画像データをグループに分類するグループ分類部１０３と、分類されたグループに属する画像データが表示部に表示されるか否かを定めるグループ管理情報を記憶する記憶部１０４と、受信されたデータが表示部に表示可能か否かを、グループ管理情報に基づいて判定するグループ選択部１０８と、表示部に表示可能と判定された受信されたデータを、表示部に表示する表示制御部１０９と、を備える。【選択図】図２
2012113400.tif 000002
【特許請求の範囲】
【請求項１】
データの表示を行う表示部と、
前記データ及び当該データの関連情報を含む送信データを受信する通信部と、
前記受信されたデータの関連情報に基づいて、前記受信されたデータをグループに分類するグループ分類部と、
前記分類されたグループに属するデータが前記表示部に表示可能か否かを定めるグループ管理情報を記憶する記憶部と、
前記受信されたデータが前記表示部に表示可能か否かを、前記グループ管理情報に基づいて判定するグループ選択部と、
前記表示部に表示可能と判定された前記受信されたデータを、前記表示部に表示する表示制御部と、を備える受信情報表示装置。
【請求項２】
請求項１に記載の受信情報表示装置であって、
前記グループ選択部は、前記表示部に表示可能と判定された前記受信されたデータの属するグループを選択し、
前記表示制御部は、当該選択されたグループに分類されたデータを前記表示部に表示する受信情報表示装置。
【請求項３】
請求項１又は２に記載の受信情報表示装置であって、
前記グループ分類部は、前記通信部が前記送信データを受信した直後に、前記受信されたデータを分類する受信情報表示装置。
【請求項４】
請求項１〜３のうちいずれか一項に記載の受信情報表示装置であって、
前記通信部が受信する送信データは、前記データが添付された電子メールである受信情報表示装置。
【請求項５】
請求項４に記載の受信情報表示装置であって、
前記データの属性情報は、前記電子メールの件名情報である受信情報表示装置。
【請求項６】
請求項４又は５に記載の受信情報表示装置であって、
前記データの属性情報は、前記電子メールの送信者情報である受信情報表示装置。
【請求項７】
請求項４〜６のうちいずれか一項に記載の受信情報表示装置であって、
前記データの属性情報は、前記電子メールの送信時間又は受信時間である受信情報表示装置。
【請求項８】
請求項４〜７のうちいずれか一項に記載の受信情報表示装置であって、
前記データの属性情報は、前記電子メールを送信した送信端末の位置情報である受信情報表示装置。
【請求項９】
請求項２に記載の受信情報表示装置であって、
前記表示制御部は、前記通信部が前記送信データを受信した受信時刻が現在時刻から所定時間前のデータを、当該受信時刻が当該現在時刻に近いデータから逐次的に表示する受信情報表示装置。
【請求項１０】
データを表示部に表示するステップと、
前記データ及び当該データの関連情報を含む送信データを受信するステップと、
前記受信されたデータの関連情報に基づいて、前記受信されたデータをグループに分類するステップと、
前記分類されたグループに属するデータが前記表示部に表示されるか否かを定めるグループ管理情報に基づいて、前記受信されたデータが前記表示部に表示可能か否かを判定するステップと、
前記表示部に表示可能と判定された前記受信されたデータを、前記表示部に表示する様に制御するステップと、を備える受信情報表示方法。
【発明の詳細な説明】
【技術分野】
【０００１】
本発明は、ネットワークを介して受信したデータを表示する受信情報表示装置及び受信情報表示方法に関する。
【背景技術】
【０００２】
携帯電話機の電子メール送信機能を用いて、例えば外出先等で携帯電話機により撮影された写真の画像データを自宅のデジタルフォトフレーム等の受信装置に送信し、受信装置が当該画像データを表示するという携帯電話機及び受信装置の使用例が、最近普及している。この様な使用例は、受信装置が通信機能を有すること、即ち、受信装置が携帯電話機から送信された画像データを受信することで実現されている。
【０００３】
更に、携帯電話機等の移動体通信システムの通信技術が今後益々進展するに従って、画像データの送信にかかる通信料金が下がると予測がなされている。このため、上述した携帯電話機及び受信装置の使用例は今後益々増えるものと期待されている。
【０００４】
上述した使用例の様に、携帯電話機を操作するユーザが受信装置の近傍に位置しない場合でも撮影された画像を表示する受信装置に関連するものとして、例えば特許文献１がある。
【０００５】
特許文献１の表示装置は、受信された電子メールに添付画像がある場合に、当該添付画像が予め定められた画像形式であるか、及び当該添付画像が予め定められた範囲内のデータサイズであるかを判定する。受信画像が一部又は全ての条件を満たす場合、表示装置は、当該受信画像を表示する。また、添付画像が予め定められた画像形式に該当しない場合、又は添付画像のサイズが所定範囲を超える場合には、表示装置は、画像の再送要求を示す通知メールを画像添付メールの送信元に送信する。この様に、特許文献１の表示装置によれば、画像の記録操作及び表示操作を容易且つ迅速に行うことができる。
【０００６】
また、上述した受信装置に記憶された多くの画像データを効率的に管理する受信装置に関連するものとして、例えば特許文献２がある。
【０００７】
特許文献２の画像表示装置は、記憶された画像データを、メタデータや画像に含まれる人物の属性情報に応じてグループに分類する。画像表示装置は、当該グループに含まれる画像データの中から、当該グループを代表する画像データの抽出条件が入力された場合に、当該抽出条件と画像データの属性情報とを照合することで、当該抽出条件に適合する代表の画像データを抽出する。更に、画像表示装置は、当該抽出された画像データを表示する。この様に、特許文献２の画像表示装置によれば、画像表示装置に記憶された多くの画像データをユーザが管理する手間と時間とを省くことができる。
【先行技術文献】
【特許文献】
【０００８】
【特許文献１】特開２００９−１９９１４９号公報
【特許文献２】特開２００８−１３１３３０号公報
【発明の概要】
【発明が解決しようとする課題】
【０００９】
しかしながら、上述した特許文献１の表示装置は、受信した画像データが表示可能か否かを当該画像データの画像形式によって判定するだけで、当該画像形式が予め定められた画像形式である場合に当該画像データを表示するか否かを判定することはできない。例えば食卓にデジタルフォトフレーム等の表示装置が置かれているとする。一般に携帯電話機から送信された写真は、ユーザが写真を撮影したいと思って撮影したものであるが、当該写真が例えば家族全員が食事中の際に表示するのに適切なものであるとは限らない。また、例えば客間に当該表示装置が置かれている場合、携帯電話機から送信された写真が来客中に表示されるときに適切なものであるとは限らない。
【００１０】
また、上述した特許文献２の画像表示装置では、ユーザは、当該画像表示装置に記憶された画像データから、所望の抽出対象とする画像データの属するグループのうちから逐一選択する必要があった。このため、上述した携帯電話機及び受信装置の使用例における受信装置に、特許文献２の画像表示装置を適用した場合を考える。この場合、携帯電話機から写真等の画像データが送信されたとしても、ユーザが画像表示装置の画面上で当該画像データを逐一確認して当該画像データのグループの選択を終えるまで、当該画像表示装置は、当該画像データを画面上に表示することができなかった。
【００１１】
従って、上述した特許文献２では、携帯電話機で撮影された写真等の画像データを上述した表示装置や画像表示装置が表示する際、画像データは、ユーザが逐一グループの選択を終えるまで表示されず、又はグループに関係なく無秩序に表示されるかのいずれかであった。
【００１２】
本発明は、上述した従来の事情を鑑みてなされたもので、データの表示するタイミングが適切でない場合に当該データの表示を防ぐと共に、表示の際に当該データを逐一選択するというユーザの管理作業を低減する受信情報表示装置及び受信情報表示方法を提供することを目的とする。
【課題を解決するための手段】
【００１３】
本発明は、上述した受信情報表示装置であって、データの表示を行う表示部と、前記データ及び当該データの関連情報を含む送信データを受信する通信部と、前記受信されたデータの関連情報に基づいて、前記受信されたデータをグループに分類するグループ分類部と、前記分類されたグループに属するデータが前記表示部に表示可能か否かを定めるグループ管理情報を記憶する記憶部と、前記受信されたデータが前記表示部に表示可能か否かを、前記グループ管理情報に基づいて判定するグループ選択部と、前記表示部に表示可能と判定された前記受信されたデータを、前記表示部に表示する表示制御部と、を備える。
【００１４】
また、本発明は、上述した受信情報表示方法であって、データを表示部に表示するステップと、前記データ及び当該データの関連情報を含む送信データを受信するステップと、前記受信されたデータの関連情報に基づいて、前記受信されたデータをグループに分類するステップと、前記分類されたグループに属するデータが前記表示部に表示されるか否かを定めるグループ管理情報に基づいて、前記受信されたデータが前記表示部に表示可能か否かを判定するステップと、前記表示部に表示可能と判定された前記受信されたデータを、前記表示部に表示する様に制御するステップと、を備える。
【００１５】
前述した構成によれば、データの表示するタイミングが適切でない場合に当該データの表示を防ぐと共に、表示の際に当該データを逐一選択するというユーザの管理作業を低減することができる。
【発明の効果】
【００１６】
本発明に係る受信情報表示装置及び受信情報表示方法によれば、データの表示するタイミングが適切でない場合に当該データの表示を防ぐと共に、表示の際に当該データを逐一選択するというユーザの管理作業を低減することができる。
【図面の簡単な説明】
【００１７】
【図１】第１の実施形態の画像配信システムのシステム構成図
【図２】第１の実施形態の受信情報表示装置の内部構成を示すブロック図
【図３】電子メール管理情報をテーブル形式で示した説明図
【図４】添付画像データのグループ分類の概要を説明する説明図
【図５】グループ管理情報をテーブル形式で示した説明図、（ａ）グループ間に階層関係が存在しない場合のグループ管理情報、（ｂ）グループ間に階層関係が存在する場合のグループ管理情報
【図６】第１の実施形態の受信情報表示装置の動作を説明するフローチャート
【発明を実施するための形態】
【００１８】
以下、本発明に係る受信情報表示装置の実施形態について、図面を参照して説明する。本発明に係る受信情報表示装置は、例えばデジタルフォトフレーム等の電子式フォトスタンドに適用可能であり、以下の実施形態においては画像データを表示部に表示するものとして説明する。但し、本発明に係る受信情報表示装置は、画像データを表示するのに限定されず、例えば音声データを出力することができ、又は動画データを出力することもできる。
【００１９】
なお、本発明は、受信情報表示装置、又は当該受信情報表示装置をコンピュータとして動作させるためのプログラムとして表現することが可能であり、更に、受信情報表示装置により実行される処理（ステップ）を含む方法として表現することも可能である。即ち、本発明は、装置、方法及びプログラムのうちいずれのカテゴリーでも表現可能である。
【００２０】
（第１の実施形態）
１．第１の実施形態の受信情報表示装置を含む画像配信システムの構成に関する説明
図１は、第１の実施形態の受信情報表示装置１００を含む画像配信システム１のシステム構成図である。図１に示す様に、画像配信システム１は、複数の携帯端末Ｍ１，Ｍ２，…，Ｍｎ、電子メール配信サーバ１０、及び受信情報表示装置１００を備える。
【００２１】
また、この画像配信システム１において、複数の携帯端末Ｍ１，Ｍ２，…，Ｍｎと電子メール配信サーバ１０とは、ネットワークＮＷ２を介してそれぞれ接続されている。更に、この画像配信システム１において、電子メール配信サーバ１０と受信情報表示装置１００とは、ネットワークＮＷ１を介してそれぞれ接続されている。
【００２２】
なお、以下の実施形態の説明において、ネットワークＮＷ１及びネットワークＮＷ２の種別は特に問わず、例えば、ＧＳＭ（Global System for Mobile Communication）網、ＵＭＴＳ（Universal Mobile Telecommunications System）網、ＬＴＥ（Long Term Evolution）網、有線通信網、無線通信網、固定電話網、又は電力線網等が適用可能である。
【００２３】
先ず、携帯端末Ｍ１，Ｍ２，…，Ｍｎに関して説明する。
【００２４】
携帯端末Ｍ１は、例えば携帯電話機又はスマートフォン等の通信機能及びカメラ機能を有する携帯型端末であり、当該カメラ機能により撮影された画像データを添付した電子メールＥＭを、ネットワークＮＷ２を介して電子メール配信サーバ１０に送信する。この電子メールＥＭには、電子メールＥＭの件名情報、電子メールＥＭの本文情報、当該電子メールＥＭの送信者（送信元）情報、当該電子メールＥＭの送信時刻情報等が含まれている。この電子メールＥＭには、更に、当該撮影された画像データ、又は当該携帯端末Ｍ１の位置情報等が含まれていても良い。なお、携帯端末Ｍ２，…，Ｍｎについても、携帯端末Ｍ１と構成及び動作が同様であるため、当該携帯端末Ｍ２，…，Ｍｎに関する説明は省略する。
【００２５】
次に、電子メール配信サーバ１０に関して説明する。
【００２６】
電子メール配信サーバ１０は、図１に示す様に、電子メール受信部１０ａ、電子メール送信部１０ｂ及び記憶部１０ｃを備える。なお、電子メール配信サーバ１０の構成に関しては、受信情報表示装置１００の構成及び動作を説明する上で必要最小限な範囲に留めて説明することとする。
【００２７】
電子メール受信部１０ａは、複数の携帯端末Ｍ１，Ｍ２，Ｍｎから画像データが添付された各電子メールＥＭを受信し、当該受信された各電子メールＥＭ及び画像データを記憶部１０ｃに記憶する。以下の説明において、電子メールＥＭに添付された画像データを、「添付画像データＡＩ」という。
【００２８】
電子メール送信部１０ｂは、記憶部１０ｃに記憶された電子メールＥＭ及び添付画像データＡＩを記憶部１０ｃから読み出す。電子メール送信部１０ｂは、当該読み出された電子メールＥＭ及び添付画像データＡＩを送信データとして、ネットワークＮＷ１を介して受信情報表示装置１００に送信する。
【００２９】
次に、受信情報表示装置１００に関して説明する。
【００３０】
受信情報表示装置１００は、電子メール送信部１０ｂから送信された電子メールＥＭ及び添付画像データＡＩの送信データを、ネットワークＮＷ１を介して受信する。
【００３１】
また、受信情報表示装置１００は、当該受信情報表示装置１００のユーザが操作する操作端末ＲＭから当該受信情報表示装置１００の動作を指示する操作信号を受信することで、当該操作信号に応じた動作を行う。この操作信号には、例えば、受信情報表示装置１００に記憶されている複数の添付画像データＡＩを、一定時間毎に順番に表示するスライドショー表示を指示する操作情報が含まれる。
【００３２】
また、受信情報表示装置１００は、当該受信情報表示装置１００のユーザが操作する操作端末ＲＭから当該受信情報表示装置１００の動作に関する設定情報を指示する動作設定信号を受信することで、当該動作設定信号に応じた設定情報に従って動作する。この動作設定信号には、例えば、受信情報表示装置１００に記憶された添付画像データＡＩを表示可能とするための設定を指示する設定情報が含まれる。
【００３３】
２．第１の実施形態の受信情報表示装置の構成に関する説明
次に、この受信情報表示装置１００に関して、図２を参照して詳細に説明する。図２は、第１の実施形態の受信情報表示装置１００の内部構成を示すブロック図である。
【００３４】
受信情報表示装置１００は、図２に示す様に、制御部１０１、通信部１０２、グループ分類部１０３、記憶部１０４、グループ選択部１０８、表示制御部１０９及び表示部１１０を備える。記憶部１０４は、添付画像データ記憶部１０５、電子メール管理情報記憶部１０６及びグループ管理情報記憶部１０７を備える。以下、各々の構成要素に関して説明する。
【００３５】
制御部１０１は、受信情報表示装置１００に内蔵されるＣＰＵ（Central Processing Unit）、ＲＡＭ（Random Access Memory）及びＲＯＭ（Read Only Memory）等で構成され、当該受信情報表示装置１００の電源がＯＮされた場合又はＯＦＦされた場合における各部の動作を制御する。
【００３６】
例えば、制御部１０１は、後述する通信部１０２により出力された電子メールＥＭ及び添付画像データＡＩを取得し、当該電子メールＥＭの識別番号を示す電子メールＩＤを当該電子メールＥＭに対して付与する。更に、制御部１０１は、当該取得された当該添付画像データＡＩの識別番号を示す添付画像データＩＤを当該添付画像データＡＩに対して付与する。
【００３７】
また、制御部１０１は、当該付与された電子メールＩＤ及び添付画像データＩＤを用いて、当該電子メールＩＤに対応する電子メールＥＭに関する電子メール管理情報ＭＣを生成し、当該生成された電子メール管理情報ＭＣを電子メール管理情報記憶部１０７に記憶する。
【００３８】
この電子メール管理情報ＭＣに関して、図３を参照して説明する。図３は、電子メール管理情報ＭＣをテーブル形式で示した説明図である。電子メール管理情報ＭＣは、図３に示す様に、電子メールＩＤ、添付画像データＡＩの受信年月日、添付画像データＡＩの受信時刻、及び添付画像データＩＤの各項目からなる。この電子メール管理情報ＭＣは、通信部１０２が電子メールＥＭ及び添付画像データＡＩを受信した直後に制御部１０１により生成されることが好ましい。
【００３９】
例えば、電子メールＩＤ「００１」の電子メールＥＭは、「２０１０年１１月１日の１５：００」に通信部１０２により受信され、更に、当該電子メールＥＭと共に添付されていた添付画像データＡＩの添付画像データＩＤは「０００１」である。
【００４０】
例えば、電子メールＩＤ「００２」の電子メールＥＭは、「２０１０年１１月２日の１０：００」に通信部１０２により受信され、更に、当該電子メールＥＭと共に添付されていた添付画像データＡＩの添付画像データＩＤは「００１５」及び「００１６」である。即ち、電子メールＩＤ「００２」の電子メールＥＭには、２つの添付画像データＡＩが添付されていたことになる。
【００４１】
例えば、電子メールＩＤ「００３」の電子メールＥＭは、「２０１０年１１月２日の１２：３０」に通信部１０２により受信され、更に、当該電子メールＥＭと共に添付されていた添付画像データＡＩの添付画像データＩＤは「００２０」及び「００２１」である。即ち、電子メールＩＤ「００３」の電子メールＥＭには、２つの添付画像データＡＩが添付されていたことになる。
【００４２】
制御部１０１は、当該付与された添付画像データＩＤ、及び当該添付画像データＩＤと共に受信された電子メールＥＭをグループ分類部１０３に出力する。更に、制御部１０１は、当該添付画像データＩＤが付与された添付画像データＡＩを添付画像データ記憶部１０５に記憶する。更に、制御部１０１は、当該付与された添付画像データＩＤをグループ選択部１０８に出力する。
【００４３】
通信部１０２は、ネットワークＮＷ１を介して電子メール配信サーバ１０と通信することで、当該電子メール配信サーバ１０との間で送受信を行う。例えば、通信部１０２は、ネットワークＮＷ１に接続し、電子メール配信サーバ１０から送信された電子メールＥＭ及び添付画像データＡＩを受信する。通信部１０２は、当該受信された電子メールＥＭ及び添付画像データＡＩを制御部１０１に出力する。
【００４４】
また、通信部１０２は、電子メール配信サーバ１０に対して電子メールの送信を要求し、この要求に応じて電子メール配信サーバ１０から送信された電子メールＥＭ及び添付画像データＡＩを受信する。なお、電子メールＥＭ及び添付画像データＡＩの通信方法としては、例えば、ＳＭＴＰ（Simple Mail Transfer Protocol）及びＰＯＰ３（Post Office Protocol 3）に限定されず、ＦＴＰ（File Transfer Protocol）、ＨＴＴＰ（Hypertext Transfer Protocol）、Ｐ２Ｐ（Peer to Peer）等でも良い。
【００４５】
また、通信部１０２は、操作端末ＲＭから送信された操作信号又は動作設定信号を受信し、当該操作信号又は動作設定信号を制御部１０１に出力する。操作端末ＲＭからの操作信号又は動作設定信号の通信方法としては、例えば、赤外線通信等の近距離通信技術が適用可能である。なお、制御部１０１は、この出力された操作信号又は動作設定信号に応じて、受信情報表示装置１００の各部の動作を制御する。
【００４６】
グループ分類部１０３は、受信情報表示装置１００に内蔵されるＣＰＵ、ＲＡＭ及びＲＯＭ等で構成され、制御部１０１により出力された添付画像データＩＤ及び電子メールＥＭを取得する。グループ分類部１０３は、当該添付画像データＩＤ及び電子メールＥＭに基づいて、当該添付画像データＩＤに対応する添付画像データＡＩのグループ分類を行う。ここで、グループとは、受信情報表示装置１００が表示部１１０に表示することが可能又は表示することが不可能に分類された添付画像データＡＩが属する仮想的な集合を示す。
【００４７】
グループ分類部１０３は、例えば電子メールＥＭの件名情報の文字列を用いてグループ分類を行う。グループ分類部１０３は、当該グループ分類を行った後、当該電子メールＥＭを記憶部１０４に記憶する。この電子メールＥＭの件名情報を用いてグループ分類を行う方法について、図４を参照して説明する。図４は、添付画像データＡＩのグループ分類の概要を説明する説明図である。
【００４８】
図４には、電子メールＥＭ及び添付画像データＡＩが示されている。電子メールＥＭは、添付画像データＡＩの属するグループの分類先を決定する上で必要な関連情報が含まれている。図４において、この関連情報は電子メールＥＭの件名情報であるとする。
【００４９】
この電子メールＥＭの件名情報は「春の花」であるとする。グループ分類部１０３は、この件名情報を公知の自然言語処理のうち例えば形態素解析することで、形態素「春」及び「花」を抽出する。グループ分類部１０３は、当該添付画像データＡＩを、当該抽出された形態素「春」及び「花」とそれぞれ同一の名称のグループである「春グループ」及び「花グループ」に分類する。なお、上述した自然言語処理のうち形態素解析に限定されず、他の公知の自然言語処理として例えば構文解析又は意味解析等が行われても良い。
【００５０】
更に、グループ分類部１０３は、後述するグループ管理情報記憶部１０７に記憶されているグループ管理情報の「春グループ」のレコード及び「花グループ」のレコードの各添付画像データＩＤの欄に、当該添付画像データＡＩの添付画像データＩＤをそれぞれ含めることでグループ管理情報を更新する。
【００５１】
また、グループ管理情報に「春グループ」のレコードが存在しない場合があり得る。この場合には、グループ分類部１０３は、グループ管理情報に「春グループ」のレコードを新規に生成し、当該生成された「春グループ」のレコードの添付画像データＩＤの欄に、当該添付画像データＡＩの添付画像データＩＤを含める。なお、グループ管理情報に「花グループ」のレコードが存在しない場合も同様である。
【００５２】
図４では、グループ分類部１０３が電子メールＥＭの件名情報の文字列を用いてグループ分類を行う例について説明した。しかし、受信情報表示装置１００において、グループ分類部１０３は、電子メールＥＭに含まれる電子メールＥＭの送信者情報に基づいて、添付画像データＡＩのグループ分類を行っても良い。
【００５３】
また、グループ分類部１０３は、電子メールＥＭの件名情報及び送信者情報に基づいて、添付画像データＡＩのグループ分類を行っても良い。例えば、電子メールＥＭの件名情報が「花」であって、送信者情報が「○○一郎」である場合、当該電子メールＥＭに添付された添付画像データＡＩの分類されるグループは、「花グループ」及び「○○一郎」とされる。
【００５４】
更に、グループ分類部１０３がグループ分類を行う際にグループの名称を抽出するための指標は、上述した電子メールＥＭの件名情報又は送信者情報の他にも以下の様なものが該当する。例えば、電子メールＥＭに含まれる位置情報（経度、緯度）、電子メールＥＭの送信時間情報、電子メールＥＭの受信時間情報が該当する。
【００５５】
更に、例えば電子メールＥＭを送信又は受信した日の天気情報が該当する。この場合には、当該天気情報が電子メールＥＭに含まれていることが好ましい。
【００５６】
更に、例えば添付画像データＡＩが写真である場合に当該写真に写っている人の名前や部位（顔、手、足）、添付画像データＡＩと共に送信可能な音情報、香り情報（香り成分を表現する情報）若しくは明るさ情報等であってもよい。
【００５７】
これらの指標のうち、添付画像データＡＩが写真である場合に当該写真に写っている人の名前や部位が文字列として抽出可能でない場合には、グループ分類部１０３は、公知の画像解析技術を行うことで当該画像解析の結果を参照してグループ分類を行うことが好ましい。
【００５８】
なお、グループ分類部１０３は、通信部１０２が電子メール配信サーバ１０から電子メールＥＭ及び添付画像データＡＩからなる送信データを受信した直後に、当該添付画像データＡＩのグループ分類を行うことが好ましい。
【００５９】
記憶部１０４は、データの読み書きが自由な記憶装置であり、制御部１０１、グループ分類部１０３、グループ選択部１０８及び表示制御部１０９によりそれぞれ実行される各種のプログラム、及び当該プログラムで利用される種々のデータを記憶する。更に、記憶部１０４は、上述した様に、添付画像データ記憶部１０５及びグループ管理情報記憶部１０７を有する。
【００６０】
添付画像データ記憶部１０５は、制御部１０１から出力された添付画像データＡＩを、当該制御部１０１による付与された添付画像データＩＤと関連付けて記憶する。
【００６１】
電子メール管理情報記憶部１０６は、制御部１０１により生成又は更新された電子メール管理情報ＭＣを記憶する。
【００６２】
グループ管理情報記憶部１０７は、添付画像データＡＩが属するグループのグループ管理情報を記憶する。ここでグループ管理情報ＧＣ１，ＧＣ２に関して、図５を参照して説明する。図５は、グループ管理情報ＧＣ１，ＧＣ２をテーブル形式で示した説明図である。同図（ａ）は、グループ間に階層関係が存在しない場合のグループ管理情報ＧＣ１である。同図（ｂ）は、グループ間に階層関係が存在する場合のグループ管理情報ＧＣ２である。
【００６３】
グループ管理情報ＧＣ１は、図５（ａ）に示す様に、添付画像データＡＩが属するグループのＩＤ、当該グループの名称、当該グループに属する添付画像データＡＩの添付画像データＩＤ、及び表示可否の各項目からなる。表示可否の項目とは、当該グループに属する添付画像データＡＩが表示部１１０に表示可能に設定されているか又は表示不可能に設定されているかを示す。
【００６４】
なお、表示可否の項目は、当該表示可否を示すグループに属する添付画像データＡＩを表示部１１０に表示可能又は表示不可能に設定する旨の動作設定信号が操作端末ＲＭから送信された場合に設定される。従って、受信情報表示装置１００は、ユーザの操作端末ＲＭから添付画像データＡＩの表示可否に関する動作設定信号が予め送信された場合に、当該動作設定信号に含まれる設定情報に応じて添付画像データＡＩを表示又は非表示する。
【００６５】
例えば、図５（ａ）において、ＩＤ「００１」のグループでは、当該グループの名称は「自然」であり、当該グループに属する添付画像データＡＩの添付画像データＩＤは「０００１」及び「０００２」であり、これらの添付画像データＩＤに対応する各添付画像データは表示部１１０に表示可能である。
【００６６】
例えば、図５（ａ）において、ＩＤ「００３」のグループでは、当該グループの名称は「昆虫」であり、当該グループに属する添付画像データＡＩの添付画像データＩＤは「０００３」及び「００１０」であり、これらの添付画像データＩＤに対応する各添付画像データは表示部１１０に表示不可能である。
【００６７】
また、或るグループと他のグループとの間に階層関係が存在する場合がある。この場合におけるグループ管理情報ＧＣ２は、図５（ｂ）に示す様に、添付画像データＡＩが属するグループのＩＤ、当該グループの名称、当該グループの上位の階層に属するグループのＩＤ、当該上位の階層に属するグループの名称、当該グループに属する添付画像データＡＩの添付画像データＩＤ、及び表示可否の各項目からなる。
【００６８】
例えば、図５（ｂ）において、ＩＤ「０１１」のグループでは、当該グループの名称は「花」であり、当該グループの上位の階層に属するグループのＩＤは「００１」であり、当該上位の階層に属するグループの名称は「自然」であり、当該グループに属する添付画像データＡＩの添付画像データＩＤは「０００１」及び「０００６」であり、これらの添付画像データＩＤに対応する各添付画像データＡＩは表示部１１０に表示可能である。
【００６９】
なお、制御部１０１、グループ分類部１０３、グループ選択部１０８、及び表示制御部１０９の各部（図２参照）は、ハードウェア又はソフトウェアで構成することが可能である。特に、これらの各部がソフトウェアにより構成される際には、当該各部（図２参照）の動作が予め規定されたプログラムが受信情報表示装置１００に内蔵されているＣＰＵより読み込まれることにより当該各部が動作可能となる。
【００７０】
また、記憶部１０４は、制御部１０１の動作におけるワークメモリにも利用される。
【００７１】
グループ選択部１０８は、受信情報表示装置１００に内蔵されるＣＰＵ、ＲＡＭ及びＲＯＭ等で構成され、制御部１０１により出力された添付画像データＩＤを取得する。グループ選択部１０８は、グループ管理情報記憶部１０７に記憶されているグループ管理情報を参照し、当該グループ管理情報の表示可否の項目の内容に基づいて、当該取得された添付画像データＩＤに対応する添付画像データＡＩの属するグループが表示部１１０に表示可能か否かを判定する。
【００７２】
グループ選択部１０８は、当該取得された添付画像データＩＤに対応する添付画像データＡＩの属するグループが表示部１１０に表示可能と判定された場合、当該添付画像データＩＤを表示制御部１０９に出力する。
【００７３】
更に、グループ選択部１０８は、グループ管理情報記憶部１０７に記憶されているグループ管理情報を参照し、当該グループ管理情報の表示可否の項目の内容に基づいて、表示部１１０に表示可能な他のグループを選択しても良い。上述した様に、表示部１１０に表示可能なグループとは、図５に示したグループ管理情報ＧＣ１，ＧＣ２の表示可否の項目の内容が「許可」のグループである。
【００７４】
また、グループ選択部１０８は、当該グループ管理情報ＧＣ１，ＧＣ２の表示可否の項目の内容に基づいて、表示部１１０に表示可能なグループを複数選択しても良い。更に、グループ選択部１０８は、当該グループ管理情報ＧＣ１，ＧＣ２の表示可否の項目の内容に基づいて、当該表示可否の項目の内容が「許可」である全てのグループを選択しても良い。
【００７５】
また、グループ選択部１０８は、電子メール管理情報記憶部１０６に記憶されている電子メール管理情報ＭＣを参照し、当該電子メール管理情報ＭＣの受信年月日及び受信時刻が現在時刻より所定時間前の範囲である添付画像データＡＩを、１つ、複数及び全てのうちいずれか直接的に選択しても良い。この場合、所定時間は、グループ選択部１０８の動作において予め規定されていることが好ましい。
【００７６】
グループ選択部１０８は、当該選択されたグループに関する情報を表示制御部１０９に出力する。
【００７７】
表示制御部１０９は、受信情報表示装置１００に内蔵されるＣＰＵ、ＲＡＭ及びＲＯＭ等で構成され、グループ選択部１０８により出力された添付画像データＩＤを取得する。表示制御部１０９は、当該取得された添付画像データＩＤに対応する添付画像データＡＩを、添付画像データ記憶部１０５から読み出して表示部１１０に表示する様に表示部１１０を制御する。
【００７８】
また、表示制御部１０９は、グループ選択部１０８により出力されたグループに関する情報を取得する。表示制御部１０９は、当該取得されたグループに関する情報に基づいて、グループ管理情報ＧＣ１，ＧＣ２の添付画像データＩＤに対応する添付画像データＡＩを、添付画像データ記憶部１０５から読み出す。更に、表示制御部１０９は、当該読み出された添付画像データＡＩを表示部１１０に表示する様に表示部１１０を制御する。
【００７９】
表示部１１０は、例えば受信情報表示装置１００のＬＣＤ（Liquid Crystal Display）により構成される。
【００８０】
３．第１の実施形態の受信情報表示装置の動作に関する説明
図６は、第１の実施形態の受信情報表示装置１００の動作を説明するフローチャートである。以下、受信情報表示装置１００の動作を図６に示す各処理（ステップ）に沿って説明する。また、この説明の前提として、受信情報表示装置１００は現在ユーザの家庭の食卓上に配置され、当該受信情報表示装置１００のユーザの家族全員が現在食事中であるとする。ユーザの家族全員が食事中であるため、受信情報表示装置１００は、ユーザが予め操作端末ＲＭから送信した動作設定信号に従って設定されたグループ管理情報ＧＣ１（図５（ａ）参照）に基づいて、表示部１１０に表示可能に設定されたグループに属する添付画像データＡＩを表示している状況であるとする。
【００８１】
従って、受信情報表示装置１００の記憶部１０４には、「自然グループ」、「太郎グループ」及び「昆虫グループ」のうちいずれかのグループに属する添付画像データＡＩが記憶されている。受信情報表示装置１００は、これら「自然グループ」、「太郎グループ」及び「昆虫グループ」のうち、「自然グループ」及び「太郎グループ」に属する添付画像データＡＩを表示している。
【００８２】
また、図６の説明において、受信情報表示装置１００は、電子メールＥＭの件名情報及び送信者情報に基づいて、添付画像データＡＩの属するグループを分類するものとする。
【００８３】
次に、受信情報表示装置１００の動作を具体的に説明する。
【００８４】
図６において、通信部１０２が添付画像データＡＩ付きの電子メールＥＭを受信した場合（Ｓ２１、ＹＥＳ）、通信部１０２は、当該受信の直後に当該電子メールＥＭ及び添付画像データＡＩを制御部１０１に出力する。
【００８５】
制御部１０１は、当該電子メールＥＭの識別番号を示す電子メールＩＤを当該電子メールＥＭに対して付与する。更に、制御部１０１は、当該取得された当該添付画像データＡＩの識別番号を示す添付画像データＩＤを当該添付画像データＡＩに対して付与する。
【００８６】
制御部１０１は、当該付与された電子メールＩＤ及び添付画像データＩＤを用いて、通信部１０２が受信した電子メールＥＭに関する電子メール管理情報ＭＣを生成し、当該生成された電子メール管理情報ＭＣを記憶部１０４に記憶する（Ｓ２２）。また、制御部１０１は、当該添付画像データＩＤが付与された添付画像データＡＩを添付画像データ記憶部１０５に記憶する（Ｓ２２）。
【００８７】
なお、ステップＳ２２において、電子メール管理情報ＭＣが既に生成されていた場合には、制御部１０１は、通信部１０２が受信した電子メールＥＭに関して当該電子メール管理情報ＭＣを更新する（Ｓ２２）。
【００８８】
制御部１０１は、付与された添付画像データＩＤ、及び当該添付画像データＩＤと共に受信された電子メールＥＭをグループ分類部１０３に出力する。また、制御部１０１は、当該付与された添付画像データＩＤをグループ選択部１０８に出力する。
【００８９】
グループ分類部１０３は、制御部１０１により出力された添付画像データＩＤ及び電子メールＥＭを取得する。グループ分類部１０３は、当該添付画像データＩＤ及び電子メールＥＭに基づいて、当該添付画像データＩＤに対応する添付画像データＡＩの分類先のグループを決定する（Ｓ２３）。
【００９０】
例えば、ステップＳ２１で通信部１０２が受信した電子メールＥＭの件名情報に「自然」が含まれていた場合であって当該電子メールＥＭの送信者情報に「○○一郎」が含まれていた場合には、グループ分類部１０３は、当該電子メールＥＭと共に送信された添付画像データＡＩの属するグループを、「自然グループ」及び「○○一郎グループ」と決定する。
【００９１】
グループ分類部１０３は、当該分類先のグループを決定した後に当該電子メールＥＭを記憶部１０４に記憶する。
【００９２】
更に、グループ分類部１０３は、グループ管理情報記憶部１０７に記憶されているグループ管理情報ＧＣ１の「自然グループ」のレコードの添付画像データＩＤの欄に、当該添付画像データＡＩの添付画像データＩＤを含めることでグループ管理情報ＧＣ１を更新する（Ｓ２４）。
【００９３】
また、図６の説明を開始する前のグループ管理情報ＧＣ１には、「○○一郎グループ」のレコードは存在していない。このため、グループ分類部１０３は、ステップＳ２４において、「○○一郎グループ」のレコードを新規に生成し、当該生成された「○○一郎グループ」のレコードの添付画像データＩＤの欄に、当該添付画像データＡＩの添付画像データＩＤを含めることでグループ管理情報ＧＣ１を更新する（Ｓ２４）。
【００９４】
グループ選択部１０８は、グループ管理情報記憶部１０７に記憶されているグループ管理情報ＧＣ１を参照し、当該グループ管理情報ＧＣ１の表示可否の項目の内容に基づいて、表示部１１０に表示可能なグループを選択する。更に、グループ選択部１０８は、当該選択されたグループのグループ管理情報ＧＣ１の添付画像データＩＤの欄に、制御部１０１により出力された添付画像データＩＤが含まれているか否かを判定する（Ｓ２５）。
【００９５】
ステップＳ２５において制御部１０１により出力された添付画像データＩＤが含まれていると判定された場合には（Ｓ２５、ＹＥＳ）、グループ選択部１０８は、当該添付画像データＩＤを表示制御部１０９に出力する。
【００９６】
表示制御部１０９は、当該出力された添付画像データＩＤに対応する添付画像データＡＩを表示部１１０に表示する様に制御する（Ｓ２６）。
【００９７】
ステップＳ２５において制御部１０１により出力された添付画像データＩＤが含まれていないと判定された場合には（Ｓ２５、ＮＯ）、グループ選択部１０８は、通信部１０２がステップＳ２１で受信した添付画像データＡＩが表示不可能に設定されている旨を表示制御部１０９に出力する。
【００９８】
表示制御部１０９は、グループ選択部１０８からの出力に基づいて、通信部１０２がステップＳ２１で受信した添付画像データＡＩの表示を行わず、ステップＳ２１の前に既に表示されていたグループに属する添付画像データＡＩの表示を継続する様に表示部１１０を制御する（Ｓ２７）。
【００９９】
また、表示制御部１０９は、ステップＳ２１において通信部１０２が添付画像データＡＩ付きの電子メールＥＭを受信していない場合には（Ｓ２１、ＮＯ）、ステップＳ２１の前に既に表示されていたグループに属する添付画像データＡＩの表示を継続する様に表示部１１０を制御する（Ｓ２７）。
【０１００】
以上により、第１の実施形態の受信情報表示装置１００によれば、受信された添付画像データＡＩの表示するタイミングが例えば食事中である場合に、当該添付画像データＡＩが分類されたグループのグループ管理情報ＧＣ１の表示可否の項目の内容に基づいて、当該添付画像データＡＩの表示又は非表示を、適切に制御することができる。
【０１０１】
具体的には、図６のステップＳ２１で通信部１０２が添付画像データＡＩ付きの電子メールＥＭを受信する前に、ユーザの周囲の状況に応じて所望のグループに属する添付画像データＡＩを表示部１１０で表示不可能に設定するための動作設定信号を操作端末ＲＭから受信情報表示装置１００に送信する。
【０１０２】
これにより、受信情報表示装置１００は、図６のステップＳ２１で通信部１０２が添付画像データＡＩ付きの電子メールＥＭを受信した際に、当該添付画像データＡＩの分類されたグループが当該表示不可能に設定されたグループに属する場合に当該添付画像データの表示を防ぐことができる。
【０１０３】
また、受信情報表示装置１００は、通信部１０２が添付画像データＡＩ付きの電子メールＥＭを受信した際に、グループ分類部１０３が当該受信された添付画像データＡＩの属するグループを自動的に分類する。このため、受信情報表示装置１００は、当該受信された添付画像データＡＩをユーザが逐一グループに分類するというユーザの管理作業を低減することができる。
【０１０４】
以上、図面を参照しながら各種の実施形態について説明したが、本発明はかかる例に限定されないことは言うまでもない。当業者であれば、特許請求の範囲に記載された範疇内において、各種実施形態の変更例または修正例、更に各種実施形態の組み合わせ例に想到し得ることは明らかであり、それらについても当然に本発明の技術的範囲に属するものと了解される。
【０１０５】
なお、図６に示すフローチャートでは、グループ選択部１０８は、図５（ａ）に示す様にグループ間に階層関係が存在しない場合のグループ管理情報ＧＣ１を参照して表示部１１０で表示可能なグループを選択する旨を説明した。しかし、図５（ｂ）に示す様にグループ間に階層関係が存在する場合には、グループ選択部１０８は、次の様にして表示部１１０で表示可能なグループを選択する。
【０１０６】
例えば、図５（ｂ）に示すグループ管理情報ＧＣ２では、階層関係が存在する「自然グループ」及び「花グループ」の表示可否の項目の内容は共に「許可」である。しかし、操作端末ＲＭからの動作設定信号によって、親グループである「自然グループ」の表示可否の項目の内容が「不許可」に設定されたとする。グループ選択部１０８は、通信部１０２が受信した添付画像データＡＩの属するグループが「花グループ」である場合に、当該「花グループ」の表示可否の項目（許可）ではなく、当該「花グループ」の上位の階層である「自然グループ」の表示可否の項目（不許可）を参照する。これにより、グループ選択部１０８は、当該受信された添付画像データＡＩを、表示部１１０で表示不可能に設定されたグループに属すると判定する。
【０１０７】
また、上述した第１の実施形態では、グループ選択部１０８は、当該電子メール管理情報ＭＣの受信年月日及び受信時刻が現在時刻より所定時間前の範囲である添付画像データＡＩを、１つ、複数及び全てのうちいずれか直接的に選択しても良い旨を説明した。しかし、グループ選択部１０８は、当該電子メール管理情報ＭＣの受信年月日及び受信時刻が、操作端末ＲＭから送信された所定の期間の範囲である添付画像データＡＩを、１つ、複数又は全てのうちいずれか直接的に選択しても良い。
【０１０８】
更に、本発明に係る受信情報表示装置は、上述した第１の実施形態の様に画像データを表示するのに限定されず、例えば音声データを出力することができ、又は動画データを出力することができる旨を説明した。例えば音声データを出力する場合、本発明に係る受信情報表示装置は、上述した図２に示す構成要素に、更に音声出力制御部及び音声出力部を有する。なお、音声出力部は、例えばスピーカ等で構成される。音声出力制御部は、例えばグループ選択部１０８から出力された音声データのＩＤを取得し、記憶部１０４に記憶された当該音声データを出力制御して再生する。これにより、音声出力部は、当該音声データに沿った音声を再生する。なお、動画データを出力（再生）する場合に関しても同様である。
【産業上の利用可能性】
【０１０９】
本発明は、画像データの表示するタイミングが適切でない場合に当該画像データの表示を防ぐと共に、受信された画像データをユーザが逐一グループに分類するというユーザの管理作業を低減する受信情報表示装置及び受信情報表示方法として有用である。
【符号の説明】
【０１１０】
１  画像配信システム
１０  電子メール配信サーバ
１０ａ  電子メール受信部
１０ｂ  電子メール送信部
１０ｃ、１０４  記憶部
１００  受信情報表示装置
１０１  制御部
１０２  通信部
１０３  グループ分類部
１０５  添付画像データ記憶部
１０６  電子メール管理情報記憶部
１０７  グループ管理情報記憶部
１０８  グループ選択部
１０９  表示制御部
１１０  表示部
ＡＩ  添付画像データ
ＥＭ  電子メール
ＧＣ１、ＧＣ２  グループ管理情報
ＮＷ１、ＮＷ２  ネットワーク
ＭＣ  電子メール管理情報
Ｍ１、Ｍ２、Ｍｎ  携帯端末
ＲＭ  操作端末
【図１】
2012113400.tif 000003
【図２】
2012113400.tif 000004
【図３】
2012113400.tif 000005
【図４】
2012113400.tif 000006
【図５】
2012113400.tif 000007
【図６】
2012113400.tif 000008